(57)【特許請求の範囲】
【請求項１】
扱室のフィードチェーン(ｃ)側の側面を覆うもので、フィードチェーン(ｃ)上に藁を押さえ付けるための藁押さえ手段(２２)の横外方に位置されてフィードチェーン高さから扱室上面高さまでを覆うものとした側面カバー(１４)を、前記藁押さえ手段(２２)の横外方を覆う下側カバー(１７)と、藁押さえ手段(２２)よりも上方を覆う上側カバー(１６)とで形成して、上側カバー(１６)は扱室の上面カバー(１２)と同体に固定させ、下側カバー(１７)は前記上面カバー(１２)から垂下させた固定部材(１８)に脱着自在に装着したコンバイン等の脱穀選別装置において、前記下側カバー(１７)により横外方が覆われる藁押さえ手段(２２)を、藁押さえ部が支持された藁押さえ台(２３)を上下移動自在に案内するための縦案内手段(２４)と、藁押さえ台(２３)を下方の所定位置に保持させるための位置保持手段(２５)及び藁押さえ台(２３)を上方位置へ引き上げるための引上げ手段(２６)と、前記位置保持手段(２５)の保持力を解除する緊急用の引き上げ操作部(４４)を備えるものとなして、位置保持手段(２５)及び緊急用の引き上げ操作部(４４)を前記上側カバー(１６)に装着して設けると共に、藁押さえ台(２３)には前記引上げ手段(２６)の引き上げ力に抗して藁押さえ台(２３)を下方の所定位置に押し下げるための押し下げ操作部(３９)を設けて、該押し下げ操作部(３９)を、前記下側カバー(１７)により覆われ下側カバー(１７)を取り外した際には開放される空間域内に配置したことを特徴とするコンバイン等の脱穀選別装置。
【発明の詳細な説明】
【０００１】
【発明の属する技術分野】
本発明は、コンバイン等の脱穀選別装置に関する。
【０００２】
【従来の技術】
コンバインにおける脱穀選別装置ではこの装置の扱室の一側部に、扱胴軸に沿わせたフィードチェーンや、このフィードチェーン上に藁を押さえ付けるための藁押さえ手段が設けられている。この藁押さえ手段の横外方には、フィードチェーン高さから扱室上面高さまでの扱室側面を覆うものとした側面カバーが設けられている。
【０００３】
この側面カバーは、現状では、単一体となされて、扱室の上面カバーに脱着自在に装着されており、例えば、藁押さえ手段の保守管理（注油や高さ調整等）等の際に取り外されるものである。
【０００４】
【発明が解決しようとする課題】
上記した脱穀選別装置においては、側面カバーが比較的大きくて重いことや、側面カバーの装着構造の関係から、その脱着処理が容易に行えず、藁押さえ手段の保守管理等に煩わしい思いをするのである。
【０００５】
またフィードチェーン近傍において、特に刈取り藁をフィードチェーンの搬送始端部に手供給するようなときに、藁のみならず手や衣類までもフィードチェーンに卷き込まれる等といった事故の発生することが生じ得る。本発明は、このような問題点に対処し得るものとしたコンバイン等の脱穀選別装置を提供することを目的とする。
【０００６】
【課題を解決するための手段】
上記目的を達成するため、扱室のフィードチェーン側の側面を覆うもので、フィードチェーン上に藁を押さえ付けるための藁押さえ手段の横外方に位置されてフィードチェーン高さから扱室上面高さまでを覆うものとした側面カバーを、前記藁押さえ手段の横外方を覆う下側カバーと、藁押さえ手段よりも上方を覆う上側カバーとで形成して、上側カバーは扱室の上面カバーと同体に固定させ、下側カバーは前記上面カバーから垂下させた固定部材に脱着自在に装着したコンバイン等の脱穀選別装置において、前記下側カバーにより横外方が覆われる藁押さえ手段を、藁押さえ部が支持された藁押さえ台を上下移動自在に案内するための縦案内手段と、藁押さえ台を下方の所定位置に保持させるための位置保持手段及び藁押さえ台を上方位置へ引き上げるための引上げ手段と、前記位置保持手段の保持力を解除する緊急用の引き上げ操作部を備えるものとなして、位置保持手段及び緊急用の引き上げ操作部を前記上側カバーに装着して設けると共に、藁押さえ台には前記引上げ手段の引き上げ力に抗して藁押さえ台を下方の所定位置に押し下げるための押し下げ操作部を設けて、該押し下げ操作部を、前記下側カバーにより覆われ下側カバーを取り外した際には開放される空間域内に配置した構成となす。
【０００７】
前記下側カバーは、上側カバーと一体化されていた従来の側面カバーよりも大幅に小さくて軽いものとなり、下側カバーが取り外されると、藁押さえ手段が現れるようになって下側カバーの脱着のみにより藁押さえ手段の保守管理等が行えるようになる。
また、緊急用の引き上げ操作部は、刈り取られた茎稈をフィードチェーンに手供給する等の作業をしている作業者により直ちに操作されるものとなり、従ってフィードチェーン及び藁押さえ手段により手や衣類等が挟持されて引き込まれても、藁押さえ手段が直ちに上方変位され、大事に至る前に抜き出される。
【０００８】
この際、藁押さえ部は電気部品を使用しない機構を介してフィードチェーンから上方へ離反されるようになすのがよく、このようにすることにより、下側カバーにこれの脱着を困難とする電気部品のハーネス等を係着しないで済むものとなる。
【０００９】
また、フィードチェーンを駆動するものとした原動機の非常停止スイッチを上側カバーの前部に設ける構成となせば、非常停止スイッチは刈り取られた茎稈をフィードチェーンに手供給する等の作業をしている作業者により直ちに操作されて原動機が停止されるものとなり、また上側カバーに非常停止スイッチを設けたことは下側カバーにそのスイッチ用のハーネスを係着させないで済むものとなる。
【００１０】
また、フィードチェーンを駆動するものとした原動機の非常停止スイッチをフィルム状のタッチセンサ方式のものとなし、且つ、上側カバー又は下側カバーの外面のフィードチェーン方向部の長い範囲に渡って貼着する構成となせば、原動機の非常停止スイッチはフィードチェーンと藁押さえ手段とに手や衣類等を挟まれて搬送側へ引っ張られているときでもその者により直ちに操作されるものとなるのであり、また上側カバー又は下側カバーの外面から大きく張り出すものとならない。
【００１１】
【発明の実施の形態】
図１は本発明の一実施例に係るコンバインの斜視図、図２は前記コンバインの平面図、図３は前記コンバインの要部のカバー配置を示す一部平面図、図４は前記要部のカバー配置を示す側面図、図５は前記要部の側面に使用されるカバーを示す図である。
【００１２】
図１及び図２に示すコンバインについて説明すると、１は機台２を支持した走行部で、機台２には刈取部３、操縦部４、脱穀選別装置５部分、穀粒処理部６、排藁処理部７が装設してある。
【００１３】
上記脱穀選別装置５は、扱胴ａを具備した扱室、処理胴ｂを具備した処理室、刈取部３で刈り取った藁を後述の藁押さえ手段と一緒になって挟持し移動させるためのフィードチェーンｃ、扱室の下方及び後方に配置された選別部等を備え、前記刈取部３で刈り取った藁を扱胴ａや処理胴ｂで脱穀し、得られた籾を選別部で精選し、この精選された籾を図示しない一番用横向きオーガや揚穀コンベア８で取り出すものとなしてある。
【００１４】
穀粒処理部６は脱穀選別装置５の後部右側に起立状に保持された籾排出用の縦オーガ９、この縦オーガ９に連通され図１に示す矢印方向ｆ１の起伏可能となした横オーガ１０、及び、揚穀コンベア８から籾を供給される籾タンク１１等を備え、籾タンク１１内の籾を縦オーガ９や横オーガ１０を通じて排出するものとなしてある。
【００１５】
次に脱穀選別装置５の外周面をなす表面カバーについて、図１〜図５を参照して説明する。この表面カバーは、扱室右側の上面を覆うものとした右上面カバー１２ａ、扱室左側の上面を覆うものとした左上面カバー１２、扱室の右側側面を覆うものとした右側面カバー１３、扱室の左側面でフィードチェーンｃ高さから扱室上面高さまでの範囲を覆うものとした左側面カバー１４、及び、扱室の前面を覆うための前面カバー１５等を備えている。
【００１６】
右上面カバー１２ａは概ね平面状となされ、機台２と同体に固定された脱穀部フレームにボルト固定されている。そして、左上面カバー１２は概ね平面状となされ、図３に示すように右上面カバー１２ａの左端縁にヒンジ継手ｄを介して上下揺動可能に結合されている。
【００１７】
この際、各ヒンジ継手ｄは支点ピン具とこれの支点ピンを抜取り自在に挿入される筒具とからなり、一般には、支点ピン具を右上面カバー１２ａに固定させ、筒具を左上面カバー１２に固定させ、必要時には左上側カバー１２を前後方向ｆ２へ移動させて支点ピン具と筒具との結合を分離させ、左上面カバー１２を右上面カバー１２ａから取り外せるようになしてある。
【００１８】
しかして左側面カバー１４は、図３及び図４に示すように上側カバー１６と、下側カバー１７とで形成してある。この際、それぞれのカバー１６、１７は単体状となされている。
上記上側カバー１６は図５に示すように薄鋼板で形成されていて、縦面部ｅ１、上端面部ｅ２、前端面部ｅ３及び後端面部ｅ４を備えたものとなしてある。
【００１９】
この際、縦面部ｅ１の下部には下側カバー１７が嵌合される凹み部ｇが形成してあり、この凹み部ｇの存在する範囲の縦面部ｅ１の下縁ｇ１は前後向きの円弧状となされている。
【００２０】
この下縁ｇ１には縦面部ｅ１を少し下方へ延長して内方へ折り曲げた態様の縁部ｅ５が形成してあり、この縁部ｅ５の長さ途中の二個所には前後向きへ長い係合用透孔ｅ６、ｅ６が形成されている。凹み部ｇの縦辺部ｇ２近傍の内面には、内方へ向かう突片ｅ７が固定してあり、この突片ｅ７にも係合用透孔ｅ８が設けてある。さらに縦面部ｅ１の前部には縦方向へ長いロックレバー用透孔ｅ９と横方向へ長い把手用透孔ｅ１０のほかスイッチ挿通用透孔ｅ１１が形成されている。
【００２１】
そして、上端面部ｅ２の内方端の長さ途中の適当に離れた三個所の近傍には、上側カバー１６を前記左上面カバー１２の外方端の特定個所に掛け吊るすためのフック部ｅ１２が形成してあり、また前端面部ｅ３の下部には横長状の係合用透孔ｅ１３が形成してある。
なお、適当個所にはボルト孔ｅ１４が形成されている。
【００２２】
一方、下側カバー１７はその殆どを薄鋼板で形成されていて、縦面部ｈ１、上側傾斜面部ｈ２、後側傾斜面部ｈ３及び前端面部ｈ４を備えたものとなしてある。この際、上側傾斜面部ｈ２の円弧状の上縁ｈ５にはこの傾斜面部ｈ２を少し延長させて内方へ折り曲げた態様の縁部ｈ６が形成してあり、この縁部ｈ６の二個所には前記係合用透孔ｅ６、ｅ６に嵌挿される係合ピンｈ７、ｈ７が起立状に設けてある。
【００２３】
後側傾斜面部ｈ３の縦向き後辺部ｈ８の端縁にはこの傾斜面部ｈ３を少し延長させて内方へ折り曲げた態様の縁部ｈ９が形成してあり、この縁部ｈ９には前記係合用透孔ｅ８に嵌挿される係合ピンｈ１０が後向き突出状に設けてある。前端面部ｈ４の上縁にはこの前端面部ｈ４の一部個所を上方へ延長し、続いて後向きへ折り曲げた態様の係合突片ｈ１１が形成してある。さらに縦面部ｈ１の下部には、縦長となされた二つのノブボルト用透孔ｈ１２、ｈ１２が設けてある。
【００２４】
次に上記した上側カバー１６と下側カバー１７の脱着時の取扱いについて、図３〜図５を参照して説明する。上側カバー１６の取付においては、先ずこれの各フック部ｅ１２左上面カバー１２の外方端の特定個所に掛け止めて上側カバー１６をフック部ｅ１２で吊り下げた状態となし、この後、左上面カバー１２から垂下状に張り出させた縦固定部材１８にボルト孔を介してボルト止めする。
【００２５】
この際、ロックレバー用透孔ｅ９には前記縦固定部材１８に縦揺動可能に装設された従来より存在するロックレバー１９を図１に示すように内方から外方へ向け挿通させ、また把手用透孔ｅ１０には前記縦固定部材に固定状に設けられた従来より存在する図１に示す把手２０を内方から外方へ挿通させるようにする。
【００２６】
上面カバー１６はこれを一定高さに持ち上げ、続いて側外方から扱室の左側面に向け殆ど水平移動させるのみで取付位置に設定されるため、ロックレバー用透孔ｅ９や把手用透孔ｅ１０は、カバー取付の際のカバー揺動を可能となすための余分目な開口の大きさを殆ど考慮する必要のないものとなる。
【００２７】
また下側カバー１７の取付においては、先ずこれの上部を上側カバー１６の凹み部ｇに機体前側から近づけて二つの係合ピンｈ７、ｈ７を係合用透孔ｅ６、ｅ６に挿通させ、この状態を保持してさらに後方へ移動させて係合ピンｈ１０を係合用透孔ｅ８に挿通させる。このピンｈ１０の挿通と同時に係合突片ｈ１１を係合用透孔ｅ１３に挿し込むようにする。これにより下側カバー１７は上側カバー１６の凹み部ｇに密状に合致された状態に位置決めされる。
【００２８】
この後、ノブボルト２１のネジ部を各ノブボルト用透孔ｈ１２を通じて、左上面カバー１２から垂下された前記縦固定部材１８にネジ込み固定させる。上記のように組み立てた下側カバー１７を取り外すときは、これを取り付けるときの手順の逆を行う。
【００２９】
ところで各カバー１２、１６、１７を完全に取り付けた状態では、これらカバーは前記縦固定部材１８を介して鈎形の一体状カバーとなされるのであり、この一体状カバーを前記ヒンジ継手ｄ廻りへ揺動させるときは、ロックレバー１９の先端部を引き上げて従来のカバー閉鎖状態保持用のロック機構を解除させ、次に把手２０を引き上げるようにする。
こうして、この一体状カバーが上側へ揺動されると、扱室の上面及び左側面が開放されるものとなる。なお、次述の藁押さえ手段はこの一体状カバーと同体的に移動される。
【００３０】
図６は脱穀選別部の左側面図、図７は藁押さえ装置の側面図、図８は藁押さえ装置の前面図である。図６に示すように下側カバー１７の内側近傍に藁押さえ手段が設けてある。
この藁押さえ手段は、下面がフィードチェーンｃ上の藁に接するものとした藁押さえ部２２、この藁押さえ部２２を支持した藁押さえ台２３、この藁押さえ台２３を上下移動自在に案内するための縦案内手段２４、前記藁押さえ台２３を下方位置（図７及び図８に実線で示す位置）に保持させるための位置保持手段２５、及び、前記藁押さえ台２３を上方位置へ引き上げるための引上げ手段２６を備えたものとなしてある。
【００３１】
さらに詳細に説明すると、藁押さえ台２３はフィードチェーンｃと同じ傾斜となしてあり、これの前後個所には前記縦固定部材１８の前後個所に設けられた一対の縦向き案内体２７、２７により上下方向の変位自在に案内される被案内体２８、２８が固定してある。
ここにおいて、縦向き案内体２７及び被案内体２８が前記縦案内手段２４をなす。
【００３２】
そして藁押さえ台２３と、前記縦固定部材１８から張り出されたバネ支持部材２９との間には、所要の引張力を発揮するものとした引き上げ手段２６としての引張スプリングが張設してある。藁押さえ台２３の先端部には図７に示すように前方へ張り出したアーム体３０が軸３１廻りの揺動可能に装着され、このアーム体３０に藁供給案内杆３２が支持されている。
【００３３】
藁押さえ部２２は複数の押圧板部材３３を前後方向の一線状に配置し、これら部材３３の隣接間を上下方向への多少の折れ曲がり可能に軸３４結合し、最前部にはやや上向きの誘導板部材３５を固定したものとなしてある。
【００３４】
そして、藁押さえ部２２の長さ途中の複数個所には下端を軸３６着された縦向きの支持案内棒３７が設けてあり、各支持案内棒３７は上部を藁押さえ台２３に設けられた縦孔２３ａに摺動可能に挿通されると共に縦孔２３ａからの抜け出しを規制された状態となされ、さらに藁押さえ台２３と藁押さえ部２２との間となる部分にスプリング３８を圧縮状態に外挿された状態となされている。藁押さえ台２３の下面の前後方向の二個所には、藁押さえ台２３を引張スプリング２６、２６の弾力に抗して押し下げるための押し下げ操作部３９が外方への張出し状に設けてある。
【００３５】
上側カバー１６には図８に示すように支持片４０が固定してあり、この支持片４０にレバー部材４１が軸着され、レバー部材４１と上側カバー１６との間にレバー部材４１を矢印方向ｆ３へ揺動させるためのスプリング４２が設けてある。
【００３６】
そして、このレバー部材４１の下端部に前後方向へ長い係止板４３を固着し、レバー部材４１の上端部に上側カバー１６のスイッチ挿通用透孔ｅ１１内に位置するものとなる押しボタンスイッチ４４を固定している。このさい、係止板４３やレバー部材４１が前記位置保持手段２５をなし、また押しボタンスイッチ４４が前記引上げ手段２６を引き上げ作動させるための緊急用の引き上げ操作部をなしている。
【００３７】
上記した藁押さえ手段の取扱い及び作動を次に説明する。通常の使用状態では、藁押さえ台２３は図７及び図８に実線で示す下方位置に位置させると共に位置保持手段２５によりこの位置を保持された状態となす。
【００３８】
刈取部３で刈り取られた稲等の茎稈がフィードチェーンｃの搬送始端に送られてくると、茎稈はフィードチェーンｃの搬送部上に載せられ、以後はフィードチェーンｃの移動によりフィードチェーンｃと同体となって斜め後上方へ搬送される。この茎稈はフィードチェーンｃの搬送の過程で藁供給案内杆３２により上部を押さえられて藁押さえ部２２の下面に案内される。
【００３９】
藁押さえ部２２はこれの下面に位置して搬送される茎稈をスプリング３８の弾力で下方へ押圧し、フィードチェーンｃと一緒になってその茎稈を挟持するものなり、この挟持は、藁押さえ部２２の後端に茎稈が達するまで、換言すれば茎稈が扱室を出るまで行われる。
【００４０】
ところで、コンバインの刈取部３で刈り取ることのできない茎稈は、作業者が手刈りして、これをフィードチェーンｃの搬送始端に供給することがあるが、例えばこのような場合において、不注意により手とか衣類をフィードチェーンｃと藁押さえ手段との間に挟まれて危険状態に陥ることがある。このようなときに、自分で直ちに緊急用の引き上げ操作部、すなわち、押しボタンスイッチ４４を押し操作するのである。
【００４１】
これにより、レバー部材４１が矢印ｆ３の逆へ揺動して係止板４３が藁押さえ台２３の上面から外れ、藁押さえ台２３は引張スプリング２６の弾力で直ちに引き上げられ、図８に仮想線ｋで示す上方位置まで移動するものとなる。この藁押さえ台２３の移動は縦向き支持案内棒３７を介して藁押さえ部２２をも上方へ引き上げ、藁押さえ部２２の下面はフィードチェーンｃから数ｃｍ程度離れるものとなる。
【００４２】
従って、フィードチェーンｃと藁押さえ手段との間に挟まれた手や衣類はフィードチェーンｃや扱胴を駆動している原動機を停止させるまでもなく直ちに簡単に抜き出すことができるのである。
【００４３】
この後、再び脱穀作業を始めるには藁押さえ台２３を下方位置に移動させ保持させることが必要となる。このため、先ずノブボルト２１を取り外し、下側カバー１７を上側カバー１６から分離させて取り外す。次に引下げ操作部３９を持って藁押さえ台２３を引上げ手段の引き上げ力、つまり、引張スプリング２６、２６の弾力に抗して押し下げる。藁押さえ台２３が下方位置に達すると、係止板４３がスプリング４２の弾力で矢印方向ｆ３へ揺動されて藁押さえ台２３の上面に位置し、藁押さえ台２３は下方位置に保持される状態となる。この後、引下げ操作部３９から手を離し、下側カバー１７を元位置に固定させる。
【００４４】
この下側カバー１７の脱着は、位置保持手段２５が上側カバー１６にのみ関連して装着されているから、位置保持手段２５とは無関係に独立的に行えるのであり、面倒な思いをしないで済む。
【００４５】
次に原動機の非常停止装置について、図１及び図９を参照して説明する。図９は脱穀選別部装置の左側面を示す図である。フィードチェーンｃの近傍にはフィードチェーンｃや扱胴ａを駆動する図示しない原動機の非常停止スイッチ４５が設けられる。この非常停止スイッチ４５は脱穀時の茎稈等の詰まりや人身事故等のとき使用されるものである。この非常停止スイッチ４５を扱室の側面カバーに装着するときは下側カバー１７の脱着をスイッチ用ハーネス等で損ねないように上側カバー１６に設ける。
【００４６】
この際、上記スイッチ４５はフィルム状のタッチセンサ方式のものとなし、上側カバー１６の最前部から最後部に渡って貼着する。タッチセンサ方式のものとは、軽く触れただけで断続作動するものである。
【００４７】
なお上記スイッチ４５を局所的に設ける方式のものとするときは、ロックレバー１９の近傍にロックレバー１９の先端よりも外方へ張り出すことのないように設ける。この非常停止スイッチ４５が入り操作されると、原動機停止指令が図示しない制御装置内で保持されて原動機は停止されるのであり、再び原動機を始動させるときはこの原動機停止指令を解除させた後、行うようにする。
【００４８】
【発明の効果】
以上のように構成した本発明によれば次のような効果が得られる。即ち、藁押さえ手段の保守管理等において比較的小さくて軽いものとなる下側カバーのみを脱着することで足り、その下側カバーの脱着は、位置保持手段及び緊急用の引き上げ操作部が上側カバーにのみ関連して装着されているから、位置保持手段とは無関係に独立的に行え、面倒な思いをしないで済み、しかも、下側カバーは低い位置で脱着されるようになるため、藁押さえ手段の保守管理等に伴うカバーの脱着作業が極めて容易に行えるようになる。
また、上側カバーは脱着を予定されているものではないため、これに設けられるロックレバーや把手等の挿通用の孔は脱着の際の一定支点廻りの揺動等を考慮して大きくする等の配慮は必要とならず小さくて済むものとなり、また、押し下げ操作部は、下側カバーにより覆われ下側カバーを取り外した際には開放される空間域内に配置されているので、見栄えのよいものとなる。
【００４９】
そして、刈り取られた茎稈をフィードチェーンに手供給する等の作業をしている作業者がフィードチェーン及び藁押さえ手段により手や衣類等を挟持されて引き込まれても、藁押さえ手段を直ちに上方変位させて抜くことができ、従って手等が排藁処理部のカッターに至る前に危険を回避できるものとなる。また藁押さえ手段の上方への変位とは無関係に原動機は回転を継続させることができるため、作業能率の低下が防止されるものである。
【図面の簡単な説明】
【図１】本発明の一実施例に係るコンバインの斜視図である。
【図２】前記コンバインの平面図である。
【図３】前記コンバインの脱穀選別装置のカバー配置を示す一部平面図である。
【図４】前記脱穀選別装置のカバー配置を示す側面図である。
【図５】前記脱穀選別装置の側面に使用されるカバーを示す図である。
【図６】前記コンバインの脱穀選別部を示す左側面図である。
【図７】前記コンバインの藁押さえ装置を示す側面図である。
【図８】前記コンバインの藁押さえ装置を示す前面図である。
【図９】前記コンバインの脱穀選別装置を示す左側面図である。
【符号の説明】
１２  上面カバー
１６  上側カバー
１７  下側カバー
１８  固定部材
２１  ノブボルト
２２  藁押さえ部（藁押さえ手段）
２３  藁押さえ台
２４  縦案内手段
２５  位置保持手段
２６  引上げ手段
３９  押し下げ操作部
４４  押しボタンスイッチ（緊急用の引き上げ操作部）
４５  非常停止スイッチ
ｃ  フィードチェーン
ｅ６、ｅ８  係合孔
ｈ６  縁部
ｈ７、ｈ１０  係合ピン（係合突起）
【図１】
0004074009.tif 000002
【図２】
0004074009.tif 000003
【図３】
0004074009.tif 000004
【図４】
0004074009.tif 000005
【図５】
0004074009.tif 000006
【図６】
0004074009.tif 000007
【図７】
0004074009.tif 000008
【図８】
0004074009.tif 000009
【図９】
0004074009.tif 000010